【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
使い捨て吸収物品中に組み込み可能な吸収コア複合材であって、
第１の材料層と、
前記第１の材料層に複数の結合部位で少なくとも部分的に固定されていて前記第１の材料層との間に複数のポケットを規定する第２の材料層と、
前記ポケット内に収納された前記第１の材料上の吸収性粒子の凝集体と、
を備え、
各ポケットは、固定初期容積を有しており、
前記第１の材料層は、前記第２の材料層及び前記ポケットに対して扁平であり、
各ポケット内で、前記第２の材料層は、前記第１の材料層から鉛直方向に離れており、
前記吸収性粒子は、乾燥状態と関連した乾燥体積及び液体飽和状態と関連した膨潤体積を有することを特徴とし、
前記凝集体は、集成乾燥体積及び集成膨潤体積を有することを特徴とし、
前記ポケットは、前記固定初期容積を規定すると共に前記凝集体を保持する初期形態を有し、
前記凝集体の前記集成膨潤体積を受け入れるよう、使用中、前記初期ポケット形態を変更する手段が設けられており、
前記結合部位は、前記ポケットの結合パターンを規定しており、
前記結合部位は、各ポケットの扁平な周囲を規定しており、
前記第２の材料層の材料は、前記扁平な周囲の上方と前記ポケット内に収容された前記凝集体の上方とに位置しており、
前記結合部位は、永続的な結合部位であって、前記ポケットの拡張形態において前記第１及び第２の材料層が当該結合部位で結合されている、吸収コア複合材。
【請求項２】
前記吸収性粒子は、ＳＡＰであり、
前記変更手段は、増大したポケット容積が前記集成膨潤体積を受け入れるという拡張形態に向かって前記ポケットが前記初期形態から拡張可能であることを含み、
前記集成膨潤体積は、前記集成乾燥体積よりも大きい、請求項１記載の吸収コア複合材。
【請求項３】
前記変更手段は、前記第１及び前記第２の材料層のうちの少なくとも一方が前記ポケット内における前記ＳＡＰ凝集体の膨潤に応答して伸長可能又は拡張可能であることを含む、請求項２記載の吸収コア複合材。
【請求項４】
前記材料層は、拡張可能である波形外面を有する、請求項３記載の吸収コア複合材。
【請求項５】
前記伸長可能である材料層は、長手方向に延びていて且つ側方に伸張可能である複数の折り目を有する不織布層である、請求項３記載の吸収コア複合材。
【請求項６】
使い捨て吸収物品中に組み込み可能な吸収コア複合材であって、
第１の材料層と、
前記第１の材料層に複数の結合部位をエンボス加工することで少なくとも部分的に固定されていて前記第１の材料層との間に複数のポケットを規定する第２の材料層と、
前記ポケット内に収納された前記第１の材料上の吸収性粒子の凝集体と、
を備え、
各ポケットは、固定初期容積を有しており、
前記第１の材料層は、前記第２の材料層及び前記ポケットに対して扁平であり、
各ポケット内で、前記第２の材料層は、前記第１の材料層から鉛直方向に離れており、
前記吸収性粒子は、乾燥状態と関連した乾燥体積及び液体飽和状態と関連した膨潤体積を有することを特徴とし、
各ポケットについて、前記凝集体は、集成乾燥体積及び集成膨潤体積を有することを特徴とし、
前記集成膨潤体積は、前記初期ポケット容積よりも大きく、
各ポケットは、前記初期容積を規定する初期形態から拡張形態に向かって拡張可能であり、
前記結合部位は、前記ポケットの結合パターンを規定しており、
前記第２の材料層は、前記結合部位から当該結合部位の上方と前記ポケット内に収容された前記凝集体の上方とに上昇しており、
前記結合部位は、永続的な結合部位であって、前記ポケットの前記初期形態と前記拡張形態とにおいて前記第１及び第２の材料層を結合しており、当該拡張形態は液体飽和状態と関連した集成膨潤体積を収容する拡張形態を含む、吸収コア複合材。
【請求項７】
前記吸収性粒子は、ＳＡＰ粒子であり、
前記ポケットの前記拡張可能形態は、前記ポケット内におけるＳＡＰ凝集体の膨潤に応答している、請求項６記載の吸収コア複合材。
【請求項８】
前記第１及び前記第２の材料層のうちの少なくとも一方は、伸長形態に伸長可能であり、
前記拡張形態は、前記伸長形態における前記一方の材料層により少なくとも部分的に規定される、請求項７記載の吸収コア複合材。
【請求項９】
前記伸長可能な材料層は、側方に間隔を置いて位置する波形部を有する波形表面を有している、請求項８記載の吸収コア複合材。
【請求項１０】
前記伸長可能な材料層は、複数の折り目を有している、請求項８記載の吸収コア複合材。
【請求項１１】
使い捨て吸収物品中に組み込み可能な吸収コア複合材であって、
第１の材料層と、
前記第１の材料層に複数の結合部位をエンボス加工することで少なくとも部分的に固定されていて複数のポケットを規定する第２の材料層と、
前記複数のポケットの各々に収納された前記第１の材料上の吸収性粒子の凝集体と、
を備え、
前記複数のポケットの各々は、固定初期容積を有しており、
前記第１の材料層は、前記第２の材料層及び前記ポケットに対して扁平であり、
各ポケット内で、前記第２の材料層は、前記第１の材料層から鉛直方向に離れており、
前記吸収性粒子は、乾燥状態と関連した乾燥体積及び液体飽和状態と関連した膨潤体積を有することを特徴とし、
各ポケットについて、前記凝集体は、集成乾燥体積及び集成膨潤体積を有することを特徴とし、
前記集成膨潤体積は、前記初期ポケット容積よりも大きく、
各ポケットは、前記初期容積を部分的に規定する初期形態から、増大したポケット容積が前記集成膨潤体積を受け入れるという拡張形態に向かって、拡張可能であり、
各ポケットに関し、前記第１材料層は、感圧形態を有し、前記凝集体が前記集成膨潤体積に変換することによって生じる圧力が、前記初期容積を部分的に定める初期形態から増大したポケット容積が前記集成膨潤体積を受け入れる拡張形態へと向かう前記第１材料層の拡張を開始させるようになっている、吸収コア複合材。
【請求項１２】
前記第１材料層は、波形表面を有し、複数個の波形部が前記初期形態において存在し、前記第２の形態では実質的に存在せず、
前記波形部は、全体として当該吸収コア複合材の長手方向に差し向けられている、請求項１１記載の吸収コア複合材。
【請求項１３】
使い捨て吸収物品であって、
第１の端マージン部と当該第１の端マージン部から長手方向に間隔を置いて位置する第２の端マージン部とにより構成されたシャーシ本体と
トップシートと、
バックシートと、
前記トップシートと前記バックシートとの間に設けられた吸収コア複合材と、
を備え、
前記端マージン部は、当該吸収物品の着用中、ユーザの腰周りに位置決めされる前側及び後側ウエスト領域を部分的に規定しており、
前記吸収コア複合材は、
第１の不織布層と、
前記第１の不織布層に複数の結合部位をエンボス加工することで少なくとも部分的に固定されていて前記第１の不織布層との間に固定初期容積を有する複数のポケットを規定する第２の不織布層と、
前記ポケット内に収容されていて前記固定初期容積の一部分を占めるＳＡＰ粒子の凝集体と、
を含んでおり、
各ポケットは、固定初期容積を有しており、
前記第１の不織布層は、前記第２の不織布層及び前記ポケットに対して扁平であり、
各ポケット内で、前記第２の不織布層は、前記第１の不織布層から鉛直方向に離れており、
前記ＳＡＰ粒子は、乾燥状態と関連した乾燥体積及び液体飽和状態と関連した膨潤体積を有することを特徴とし、
各ポケットについて、前記凝集体は、集成乾燥体積及び集成膨潤体積を有することを特徴とし、
前記ポケットは、前記凝集体を保持する初期形態を有しており、
前記第１の不織布層の外面は、前記ポケットの前記初期形態では表面不連続部を呈し、当該不連続部を実質的に除去して前記ポケットを増大したポケット容積を規定する拡張形態にするように伸張可能である、使い捨て吸収物品。
【請求項１４】
前記不連続部は、前記外面の伸張時に除去可能である折り目を含む、請求項１３記載の使い捨て吸収物品。
【請求項１５】
前記不連続部は、前記外面の伸張時に伸張可能であるプリーツを含む、請求項１４記載の使い捨て吸収物品。
【請求項１６】
前記不連続部は、前記外面の伸張時に伸張可能である波形部を含む、請求項１４記載の使い捨て吸収物品。
【請求項１７】
使い捨て吸収物品中に組み込み可能な吸収コア複合材であって、
当該吸収コア複合材の身体側外面を形成する外面を有する第１の材料層と、
当該吸収コア複合材の反対側外面を形成する外面を有する第２の材料層と、
当該吸収コア複合材の前記外面相互間に設けられ且つ平均サイズ寸法を有する吸収性粒子の第１の層と、
当当該吸収コア複合材の前記外面相互間に設けられた吸収性粒子の第２の層と、
を備え、
前記第２の層の前記吸収性粒子は、前記第１の層の前記平均サイズ寸法よりも小さい平均サイズ寸法を有し、
前記吸収性粒子の第１の層は、実質的に前記第１の材料層内に位置し、
前記吸収性粒子の第２の層は、実質的に前記第２の材料層内に位置している、吸収コア複合材。
【請求項１８】
前記第１の材料層の前記吸収性粒子の前記平均サイズ寸法は、３００ミクロンを超えており、
前記第２の材料層の前記吸収性粒子の前記平均サイズ寸法は、０〜３００ミクロンである、請求項１７記載の吸収コア複合材。
【請求項１９】
前記第１の材料層は、低密度不織布であり、
前記第２の材料層は、前記低密度不織布よりも高い密度を有する不織布である、請求項１７記載の吸収コア複合材。
【請求項２０】
前記吸収性粒子の第１の層と前記吸収性粒子の第２の層との間に位置する吸収性粒子の中間層を更に備え、
前記吸収性粒子は、ＳＡＰ粒子である、請求項１７記載の吸収コア複合材。
【請求項２１】
前記吸収性粒子の第１の層、第２の層、及び、中間層の各々内のＳＡＰ粒子の平均サイズ寸法は、ミクロン単位で表して、それぞれ、０〜３００、３００〜６００、及び、６００〜８５０である、請求項２０記載の吸収コア複合材。
【請求項２２】
前記第１の材料層、前記中間材料層、及び、前記第２材料層は、それぞれ、０．０１〜０．０３ｇ／ｃｃ、０．０３〜０．０８ｇ／ｃｃ、及び、０．０９〜０．１２ｇ／ｃｃの密度を有する、請求項２１記載の吸収コア複合材。
【請求項２３】
使い捨て吸収物品中に組み込み可能な吸収複合材を形成する方法であって、
第１の材料層を用意するステップと、
前記第１の材料層の下に第２の材料層を位置決めするステップと、
第１の平均サイズ寸法を有する第１の吸収性粒子の集団と前記第１の平均サイズ寸法よりも小さな第２の平均サイズ寸法を有する第２の吸収性粒子の集団とで構成された吸収性粒子供給源を用意するステップと、
前記第１の集団に属する前記吸収性粒子が前記第１の材料層内に維持されると共に前記第２の集団に属する前記吸収性粒子が前記第１の材料層を濾過して前記第２の材料層内に定着するように、前記吸収性粒子の第１の集団及び前記吸収性粒子の第２の集団を前記第１の材料層上に堆積させるステップと、
前記第１及び前記第２の集団の平均サイズ寸法の中間の平均サイズ寸法を有する中間の集団をなす吸収性粒子を供給するステップと、
を備え、
前記堆積ステップは、前記吸収性粒子の中間の集団を堆積させる前に前記吸収性粒子の第２の集団を堆積させ、前記吸収性粒子の中間の集団を堆積させた後で前記第１の集団を堆積させるステップを含み、前記吸収性粒子の第２の集団が前記第１及び前記中間の材料層を通って前記第２の材料層へと濾過し、前記吸収性粒子の中間の集団が前記第１の材料層を濾過して前記中間の材料層内に定着すると共に前記吸収性粒子の第１の集団が前記第１の材料層内に定着するようになっていることを特徴とする方法。
【請求項２４】
前記第１の材料層は、密度が０．０１〜０．０３ｇ／ｃｃの低密度不織布であり、
前記第２の材料層は、これよりも高い密度の不織布である、請求項２３記載の方法。
【請求項２５】
前記第１及び前記第２の材料層を前記第１の材料層上への前記吸収性粒子の堆積が起こる移動領域まで運搬するステップを更に備えた、請求項２３記載の方法。
【請求項２６】
前記第１及び前記第２の材料層は、前記移動領域を超えて動かされ、前記吸収性粒子の第２の集団は、前記第１及び前記第２の材料層が前記堆積後に運搬されるときに、前記第１材料層を濾過するようになっている、請求項２３記載の方法。
【請求項２７】
前記堆積後に前記第１及び前記第２の材料層を付勢して前記濾過を促進するステップを更に備えた、請求項２３記載の方法。
【請求項２８】
前記付勢は、前記第１及び前記第２の材料層を振動させるステップを含む、請求項２７記載の方法。
【請求項２９】
前記第１及び前記第２の材料層の間に中間の材料層を位置決めするステップを更に備え、
前記第１の材料層、前記中間の材料層、及び、前記第２の材料層は、それぞれ、０．０１〜０．０３ｇ／ｃｃ、０．０３〜０．０８ｇ／ｃｃ、及び０．０９〜０．１２ｇ／ｃｃの密度を有する、請求項２３記載の方法。
【請求項３０】
吸収性粒子の中間の集団を供給するステップを更に備え、
前記第１の集団、前記中間の集団、及び、前記第２の集団の前記平均サイズ寸法は、ミクロン単位で表して、それぞれ、０〜３００、３００〜６００、及び、６００〜８５０であり、
前記堆積ステップは、前記吸収性粒子の第１の集団、前記吸収性粒子の第２の集団、及び、前記吸収性粒子の中間の集団を同時に堆積させ、前記吸収性粒子の第２の集団が前記第１及び前記中間の材料層を通って前記第２の材料層へと濾過し、前記吸収性粒子の中間の集団が前記第１の材料層を濾過して前記中間の材料層内に定着するステップを含む、請求項２９記載の方法。
【請求項３１】
前記堆積後に前記第１、前記第２及び前記中間の材料層を付勢して、前記吸収性粒子の第２の集団及び前記吸収性粒子の第３の集団の前記濾過を促進するステップを更に含む、請求項２３記載の方法。
【請求項３２】
使い捨て吸収衣料品中に組み込み可能な吸収複合材を製造する方法であって、
第１の不織布層の第１のシートを運搬するステップと、
吸収性粒子を前記第１のシート上に堆積させるステップと、
第２の不織布層の第２のシートを前記堆積された吸収性粒子及び前記第１のシートの上方に被着させ、それにより吸収性粒子をサンドイッチした前記２つの材料層を含む複合材を形成するステップと、
前記第１及び前記第２の材料層を結合して前記吸収性粒子を両者の間に少なくとも部分的に固定するステップと、
を備えた方法。
【請求項３３】
前記第１のシートの前記運搬に先立って、前記第１のシートの表面を変形させて側方に伸長可能な表面不連続部を形成するステップを更に備えた、請求項３２記載の方法。
【請求項３４】
前記不連続部は、波形部である、請求項３３記載の方法。
【請求項３５】
使い捨て吸収衣料品中に組み込み可能な吸収複合材を製造する方法であって、
第１の不織布層の第１のシートを運搬するステップと、
吸収性粒子を前記第１のシート上に堆積させるステップと、
第２の不織布層の第２のシートを前記堆積された吸収性粒子及び前記第１のシートの上方に被着させ、それにより吸収性粒子をサンドイッチした前記２つの材料層を含む複合材を形成するステップと、
前記第１及び前記第２の材料層を結合して前記吸収性粒子を両者の間に少なくとも部分的に固定するステップと、
前記第１のシート又は前記第２のシートの前記運搬に先立って、前記第１のシートの表面の１つ又は２つ以上の区分を折り畳んで当該表面上に側方に伸長可能な折り目を形成するステップと、
を備えた方法。
【請求項３６】
前記第１のシートの前記運搬ステップに先立って、前記第１のシートに折り畳み区分を設けるステップが実施され、
前記第２のシートの被着後に、前記折り畳み区分を広げて吸収性粒子のないレーンを露出させる、請求項３５記載の方法。
【請求項３７】
前記折り畳み区分は、プリーツである、請求項３５記載の方法。
【請求項３８】
非ＳＡＰ粒子を、イオン交換粒子、前記ＳＡＰ粒子よりも小さい不活性粒子、ホットメルト粒子、揮発性粒子、前記ＳＡＰ粒子よりも小さい水溶性粒子、及び、これらの組合せ、からなる非ＳＡＰ粒子の淳から選択するステップを更に備え、
前記堆積ステップは、前記ＳＡＰ粒子及び前記選択された非ＳＡＰ粒子を堆積させるステップを含む、請求項３２記載の方法。
【請求項３９】
イオン交換粒子を前記第１のシートの選択された領域上に堆積させるステップと、
吸収コアを前記吸収コア複合材から切断するステップと、
を更に備え、
前記吸収コアは、前記使い捨て吸収物品の股領域に対応した中央領域から離隔して設けられた端ゾーンを有し、
前記端ゾーンは、前記コアの前記選択された領域に対応し、
前記端ゾーンは、イオン交換粒子及び前記吸収性粒子を含む、請求項３２記載の方法。
【請求項４０】
前記堆積ステップは、側方に間隔を置いて位置したレーン内にＳＡＰを堆積させて１つ又は２つ以上の長手方向に伸長するＳＡＰのないレーンが一対のＳＡＰ含有レーン間に位置するようにするステップを含む、請求項３２記載の方法。
【請求項４１】
前記堆積ステップは、異なる吸収特性を有するＳＡＰを前記ＳＡＰ含有レーンの各々内に堆積させるステップを含む、請求項４０記載の方法。
【請求項４２】
前記第２のシートを被着させた後、前記ＳＡＰのないレーンのうちの１つ又は２つ以上に沿って前記複合材をスリットして、幅の減少した複数の吸収コア複合材を作るステップを更に備えた、請求項４０記載の方法。
【請求項４３】
使い捨て吸収衣料品中に組み込み可能な吸収複合材を製造する方法であって、
第１の不織布層の第１のシートを運搬するステップと、
吸収性粒子を前記第１のシート上に堆積させるステップと、
第２の不織布層の第２のシートを前記堆積された吸収性粒子及び前記第１のシートの上方に被着させ、それにより吸収性粒子をサンドイッチした前記２つの材料層を含む複合材を形成するステップと、
前記第１及び前記第２の材料層を結合して前記吸収性粒子を両者の間に少なくとも部分的に固定するステップと、
前記吸収複合材を折り畳んで２層吸収複合材を形成するステップと、
を備えた方法。
【請求項４４】
前記折り畳みステップは、２つのフラップを互いに向かって折り畳んで底部層の上方に頂部層を形成するステップを含む、請求項４３記載の方法。
【請求項４５】
前記結合ステップは、吸収性粒子の複数のポケットを構成し、前記２層吸収複合材の各層が前記ポケットを有するようにする、請求項４３記載の方法。
【請求項４６】
前記結合ステップは、間欠的結合部の結合パターンを施すステップを含む、請求項３２記載の方法。
【請求項４７】
前記結合ステップは、菱形ポケットのパターンを施すステップを含む、請求項３２記載の方法。
【請求項４８】
前記第１のシート上への堆積後に、ホットメルト粒子を前記吸収性粒子に付着させるステップを更に備えた、請求項４６記載の方法。
【請求項４９】
熱を加えて前記吸収性粒子中の前記ホットメルト粒子を溶融させるステップを更に備えた、請求項４８記載の方法。
【請求項５０】
前記堆積後にホットメルト繊維を前記吸収性粒子上に被着させるステップを更に備え、前記ホットメルト繊維は、結合後、前記第２のシートと前記吸収性粒子の層との間に配置される、請求項３２記載の方法。
【請求項５１】
前記吸収性粒子上への前記被着中に前記ホットメルト繊維が押し出される、請求項５０記載の方法。
【請求項５２】
前記第２のシートの被着に先立って、ホットメルト接着剤を前記吸収性粒子に吹き付けるステップを更に備えた、請求項３２記載の方法。
【請求項５３】
前記第２のシートは、目の荒い不織布材料であり、
当該方法は、前記第２のシートの前記外面を結合するステップを更に備えた、請求項３２記載の方法。
【請求項５４】
前記外面の前記結合ステップは、ホットメルト接着剤を当該外面上に塗布するステップを含む、請求項５３記載の方法。